(57)【特許請求の範囲】
【請求項１】
調理器本体の前面適所に扉と操作パネルとを装着し、この操作パネルを電動機構により上下方向に傾動可能に構成すると共に、上記操作パネルに静電容量の変化により入力操作を検出する複数のタッチキーを配置したものにおいて、上記操作パネルの外郭を構成するパネルケースを導電部材により構成した事を特徴とする加熱調理器。
【請求項２】
調理器本体の前面適所に扉と操作パネルとを装着し、この操作パネルを電動機構により上下方向に傾動可能に構成すると共に、上記操作パネルに静電容量の変化により入力操作を検出する複数のタッチキーを配置したものにおいて、上記操作パネルの外郭を構成するパネルケースのタッチキー近傍に導電部材を配置した事を特徴とする加熱調理器。
【請求項３】
上記タッチキーの入力操作を検出する制御手段を設けると共に、この制御手段を、上記電動機構により操作パネルを傾動中にはタッチキーの検出レベルを変更する様に構成した事を特徴とする、上記請求項１又は２に記載の加熱調理器。
【請求項４】
調理器本体の前面適所に扉と操作パネルとを装着し、この操作パネルを電動機構により上下方向に傾動可能に構成すると共に、上記操作パネルに静電容量の変化により入力操作を検出する複数のタッチキーを配置したものにおいて、上記電動機構を制御し、かつタッチキーの入力操作を検出する制御手段を設けると共に、この制御手段を、上記電動機構により操作パネルを傾動中にはタッチキーによる検出を停止する様に構成した事を特徴とする加熱調理器。
【発明の詳細な説明】
【技術分野】
【０００１】
本発明は、オーブンレンジや電子レンジ等の様に、調理時間等の調理条件を入力する操作パネルを備えた加熱調理器に関する。
【背景技術】
【０００２】
被調理物を収納して加熱する調理室の前面に扉を備え、かつこの扉に隣接して操作パネルを配置し、この操作パネルに複数の操作キーを配置した加熱調理器では、例えば特許文献１に示される様に、操作パネルを手動により上下方向に傾斜する様に構成したものがある。
【特許文献１】実開平５−７９３０７号公報
【発明の開示】
【発明が解決しようとする課題】
【０００３】
一方、上記特許文献１に記載の構成では、調理器の設置条件に応じて一度操作パネルを傾斜させると、調理器の使用に係わらず操作パネルが傾斜し、本体の前面より操作パネルの上端部或いは下端部が前方に突出し、外観上違和感を与えるという問題がある。
【０００４】
又、使用の終了都度、操作パネルを垂直状態に戻しても良いが、その操作が煩わしいという問題がある。
【０００５】
そこで、上記操作パネルを電動機構により傾斜させる様に構成し、調理器を使用しない所謂待機時には操作パネルを垂直状態に固定、或いは調理器内に収納し、調理を開始する場合には操作パネルを傾斜させる事が考えられるが、操作パネルに配置した操作キーを静電容量の変化により入力操作を検出するタッチキーにより構成した場合、電動機構により操作パネルを駆動すると、操作パネルの移動によりタッチキー周囲の静電容量が変化し、タッチキーが誤動作を生じるという問題がある。
【０００６】
そこで本発明は、操作パネルを電動機構により傾動し、かつ操作パネルに配置した操作キーをタッチキーで構成したものにおいて、操作パネルの移動によるタッチキーの誤動作を防止する事を目的とする。
【課題を解決するための手段】
【０００７】
本発明の請求項１の構成は、調理器本体の前面適所に扉と操作パネルとを装着し、この操作パネルを電動機構により上下方向に傾動可能に構成すると共に、操作パネルに静電容量の変化により入力操作を検出する複数のタッチキーを配置したものにおいて、操作パネルの外郭を構成するパネルケースを導電部材により構成して成るものである。
【０００８】
本発明の請求項２の構成は、調理器本体の前面適所に扉と操作パネルとを装着し、この操作パネルを電動機構により上下方向に傾動可能に構成すると共に、操作パネルに静電容量の変化により入力操作を検出する複数のタッチキーを配置したものにおいて、操作パネルの外郭を構成するパネルケースのタッチキー近傍に導電部材を配置して成るものである。
【０００９】
本発明の請求項３の構成は、請求項１又は２の構成において、タッチキーの入力操作を検出する制御手段を設けると共に、この制御手段を、電動機構により操作パネルを傾動中にはタッチキーの検出レベルを変更する様に構成して成るものである。
【００１０】
本発明の請求項４の構成は、調理器本体の前面適所に扉と操作パネルとを装着し、この操作パネルを電動機構により上下方向に傾動可能に構成すると共に、操作パネルに静電容量の変化により入力操作を検出する複数のタッチキーを配置したものにおいて、電動機構を制御し、かつタッチキーの入力操作を検出する制御手段を設けると共に、この制御手段を、電動機構により操作パネルを傾動中にはタッチキーによる検出を停止する様に構成して成るものである。
【発明の効果】
【００１１】
本発明の請求項１に記載の構成により、操作パネルを電動機構により上下方向に傾斜させると共に、操作パネルにタッチキーを配置したものにおいて、操作パネルの外郭を構成するパネルケースを導電部材により構成したことで、操作パネルの傾動によるタッチキー周囲の静電容量の変化を抑制し、タッチキーの誤動作を確実に防止する事が出来るものである。
【００１２】
本発明の請求項２に記載の構成により、操作パネルを電動機構により上下方向に傾斜させると共に、操作パネルにタッチキーを配置したものにおいて、タッチキーの近傍に導電部材を配置したことで、例えば操作パネルのパネルケース全体をアルミニウムやステンレス等の導電性部材により構成する場合に比較し、最小限の導電部材の使用により、効率的に操作パネルの傾動によるタッチキーの誤動作を防止する事が出来るものである。
【００１３】
本発明の請求項３に記載の構成により、タッチキーの入力操作を検出する制御手段を、操作パネルの傾動中にはタッチキーの入力感度を変更する様に構成したことで、操作パネルの傾動によるタッチキーの誤動作を、制御手段のプログラム変更等の比較的簡単な構成により防止する事が出来るものである。
【００１４】
本発明の請求項４に記載の構成により、操作パネルを電動機構により傾動中にはタッチキーによる入力操作の検出を停止する様に構成したことで、制御手段を構成するマイクロコンピュータのプログラム設定等による比較的簡単な構成にて、操作パネルの移動によるタッチキー周囲の静電容量の変化による誤動作を確実に防止する事が出来るものである。
【発明を実施するための最良の形態】
【００１５】
本発明による実施例を先ず図１に基づき説明すると、１は例えばシステムキッチン等に組み込んで使用する床置型の調理器本体で、調理室２の前面に扉３を上下方向に開閉自在に枢支していると共に、この扉の横に隣接して操作パネル４を配置している。
【００１６】
上記操作パネル４は、その高さ寸法を扉３の高さ寸法よりも短く構成して、その下方に固定板５を配置し、この固定板と操作パネル４の高さを扉３の高さと同じに構成していると共に、操作パネル４は、図２にて示す様にその上端部を回転軸６により回転自在に枢支し、その底面を底板７により閉塞し、かつこの底板の底面にラックギヤ８を装着している。
【００１７】
又、上記操作パネル４は、その外郭を構成するパネルケース９をアルミニウムやステンレス、導電材料を混入した樹脂等の導電性部材にて構成していると共に、上記ラックギヤ８の下方には、固定板５の後方に位置してラックギヤ８に噛合するピニオンギヤ１０と、このピニオンギヤを回転駆動するギヤードモータ１１を配置し、これらにて電動機構１２を構成している。
【００１８】
図３は上記操作パネル４の実施例を示すもので、上部に液晶パネルや蛍光表示管等で構成した表示器２０を配置していると共に、この表示器の下方に操作部２１を設けている。
【００１９】
そして上記表示器２０には、自動調理用の複数の自動メニュー２２・・と、手動操作用の手動メニュー２３・・と、温度や出力を表示する設定表示部２４と、時間やタイマーを表示するタイマー部２５等を配置している。
【００２０】
又上記操作部２１は、非通電時には黒色等のスモークにより何も表示しない、着色した樹脂パネルや裏面に着色したガラス板等で構成していると共に、これらの裏面に操作位置を示す複数のタッチキー２６・・を印刷している。これにより、調理器本体１を使用しない場合には、図１にて示す様に、上記操作パネル４の操作部２１には何も表示しない様に構成している。
【００２１】
尚、上記表示器２０の表示については、節電機能により、待機電力を低減させる場合には消灯して何も表示しない様に構成し、時計表示を行なう場合には、上記タイマー部２５に時計表示を行なう様に構成しても良い。
【００２２】
一方、上記タッチキー２６・・は、同時に表示させる操作キーを横並びに配置する様に構成しており、例えば実施例の場合には、キーロックを設定するロックキー２７と、音声の音量を設定する音声キー２８と、操作パネル４を傾斜或いは垂直に戻す操作パネルキー２９とを横並びに配置し、これらのキーの下方に自動調理メニューを選択設定する自動調理キー３０と、手動調理メニューを選択設定する手動調理キー３１と、調理の仕上がり状態を強めや弱めに設定する仕上がりキー３２とを横並びに配置し、かつこれらのキーの下方に調理温度を設定する温度キー３３，３４を横並びに配置し、更にこれらのキーの下方に時間やタイマー時間を設定する３個の時間キー３５，３６，３７を横並びに配置し、これら時間キーの下方にスタートキー３８と取消しキー３９を配置している。
【００２３】
そして上記各キーの裏側には、図４にて示す様に、ロックキー２７と音声キー２８と操作パネルキー２９を同時に表示する第１導光板４０を配置し、自動調理キー３０と手動調理キー３１と仕上がりキー３２の裏側には、各々これらを個別に表示する第２，第３，第４導光板４１，４２，４３を配置し、温度キー３３，３４の裏側にはこれらを同時に表示する第５導光板４４を配置し、時間キー３５，３６，３７の裏側にはこれらを同時に表示する第６導光板４５を配置し、スタートキー３８と取消しキー３９の裏側にはこれらを個別に表示する第７，第８導光板４６，４７を配置している。
【００２４】
又、上記各導光板は略Ｌ字型或いは門型に形成し、これらの屈曲した下端面に対向して複数の色を発光するＬＥＤランプ４８・・を配置している。
【００２５】
尚、４９は各タッチキー２６・・の入力操作を検出する操作基板で、例えばＵＳＰ５，７３０，１６５、ＵＳＰ６，４５２，５１４、ＵＳＰ６，４６６，０３６に記載の静電容量方式により行い、上記操作部４の各タッチキー２６・・の印刷範囲への指の近接や接触による入力操作を検出する様に構成している。
【００２６】
即ち、上記操作基板４９上には、各タッチキー２６・・に対向して電極５０・・をパターン印刷等により配置し、これら電極への指の接近による静電容量の変化により入力操作を検出するものである。
【００２７】
図５は制御手段を構成する制御回路６０の実施例を示すもので、商用の交流電源６１に扉３の開閉に応じて接点を開閉するドアスイッチ６２を介して電源回路６３を接続していると共に、この電源回路の出力にマイクロコンピュータにて構成したメイン制御部６４を接続している。
【００２８】
又、上記メイン制御部６４の出力ポートには、調理室２内を照明する庫内灯６５を点滅駆動する庫内灯駆動回路６６と、調理室２内を加熱する熱源となるガスバーナ６７への燃料供給を制御する電磁弁６８を駆動する電磁弁駆動回路６９と、調理室２内に上記熱源の熱気を循環する循環ファン７０を駆動する循環ファン駆動回路７１と、調理室２内に他の熱源となる高周波電波を供給するマグネトロン７２を駆動するマグネトロン駆動回路７３と、上記ガスバーナ６７点火用の点火回路７４と、上記操作パネル４を電動により斜めに傾動するギヤードモータ１１を駆動するモータ駆動回路７５と、上記表示器２０を駆動する表示回路７６を接続し、同じく入力ポートには、扉３の開閉を検出するドア開閉検出回路７７の出力と、上記操作基板４９に配置した電極５０・・による各タッチキー２６・・の入力を検出するキー入力回路７８の出力と、上記調理室２内の温度をサーミスタ７９の出力により検出する庫内温度検出回路８０の出力とを接続し、同じく入出力ポートには、ガスバーナ６７の点火を検出する炎検出回路８１と、データ記憶用のメモリ８２を接続している。
【００２９】
尚、８３は上記メイン制御部６４の出力ポートに接続した自己保持用の電磁リレー駆動回路で、その出力にて上記ドアスイッチ６２に並列接続した自己保持用のリレー接点８４を駆動するもので、扉３が開かれてドアスイッチ６２が閉じ、電源回路６３よりメイン制御部６４に通電されると、電磁リレー駆動回路８３の出力にてリレー接点８４を閉じ、調理の開始等により扉３が閉じてドアスイッチ６２が開いても、リレー接点８４を介して電源回路６３に通電し、調理を継続する様に構成している。
【００３０】
又、上記メイン制御部６４は、調理が終了して所定時間経過した場合や、扉３が閉じられてから所定時間経過しても操作部２１に配置した各タッチキー２６・・の入力操作が無い場合には、上記リレー接点８４を開いて電源回路６３への通電を遮断し、所謂待機時には電力を消費しない様に構成している。
【００３１】
更に上記メイン制御部６４は、扉３が開いて通電されると、モータ駆動回路７５の出力にてギヤードモータ１１を作動して操作パネル４を図２中に破線にて示す様に傾斜させ、操作部２１に配置した各タッチキー２６・・の操作を行ない易く構成している。
【００３２】
一方、上記操作パネル４の傾動時には、上記操作基板４９に配置した電極５０・・と、操作パネル４周囲の導電性の構成部材との距離が変化する為、電極５０・・の静電容量も変化するが、パネルケース９を導電部材により構成することで、図６にても示す様に、操作パネル４が移動しても電極５０・・の静電容量ａがキー入力回路７８のキー判定閾値ｂ以上に変化することがなく、これにより、キー入力回路７８の誤動作を防止する事が出来る。
【００３３】
尚、上記実施例では、静電容量のキー判定基準値と閾値を予め設定し、電極５０・・の静電容量が上記閾値ｂ以上変化した場合にキー入力有りと判定する様に構成しているが、これに限定されることなく、電極５０・・の静電容量のレベルでキー入力を判定しても良い。
【００３４】
図７は本発明の他の実施例を示すもので、パネルケース９を樹脂等の非導電性部材で構成すると共に、上記電極５０・・を配置した基板４９の周囲であるパネルケース９の左右両側面と底面に、アルミニウムやステンレス等の導電部材から構成した薄板状の導電部材５１，５２を配置し、これらの導電部材により、上記図６にて示す場合と同様に、ギヤードモータ１１を作動して操作パネル４を傾動しても、電極５０・・の静電容量がキー入力回路７８のキー判定基準値より低下することがなく、キー入力回路７８の誤動作を防止するものである。
【００３５】
一方、上記制御回路６０は、図８にて示す様に、各タッチキー２６・・への指ｂの接触や近接により各電極５０・・の静電容量ａの変化が、キー入力回路７８にて予め設定した閾値ｂ以上に変化することで、各タッチキー２６・・の入力操作を検出する様に構成しているが、上記モータ駆動回路７５の出力にてギヤードモータ１１を作動して操作パネル４を傾動中には、上記各電極５０・・の静電容量がキー判定基準値より低下してもキー入力を受付けない様に構成している。
【００３６】
これらの構成により、操作パネル４の傾動により各電極５０・・の静電容量が変化しても、キー入力回路７８が誤動作を生じることがなく、例えば上記図７にて示す導電部材５１，５２等が不要となり、比較的安価な構成にて、確実にキー入力回路７８の誤動作を防止する事が出来るものである。
【００３７】
更に、上記操作パネル４の各電極５０・・の静電容量は、上記実施例にて示す様にパネルケース９を導電部材により構成しない場合、例えば図９にて示す様に、操作パネル４を傾斜させた状態より電動機構１２により調理器本体１内に収納すると、電極５０・・の静電容量ａは操作パネル４の移動に伴って低下する。
【００３８】
そこで、キー入力回路７８にて予め設定した通常のキー判定閾値１ｃに基づいてキー入力を判定した場合、上記操作パネル４の傾動による静電容量の変化でキー入力の誤動作を生じる為、操作パネル４の収納開始と共に上記キー入力回路７８のキー判定閾値をキー判定閾値２ｄに変更した後、操作パネル４の収納終了と共に、キー判定基準値をキー判定基準値２に変更する様に構成している。尚、キー判定基準値２に変更した後は、各電極５０・・の静電容量がキー判定閾値１ｃ以上変化した否か判定し、変化時にはキー入力有りと判定する。
【００３９】
これらの構成により、パネルケース９を導電材料で形成したり、操作パネル４の電極５０・・周囲に導電部材５１，５２を設けることなく、操作パネル４の傾動によるキー入力回路７８の誤動作を防止する事が出来るものである。
【００４０】
上記実施例では操作パネル４を収納する場合について説明したが、操作パネル４を収納状態より傾斜状態に引き出す場合には、図９に示す逆の制御により、キー判定基準値やキー判定閾値を順次変更するものである。
【００４１】
又、上記制御回路６０は、スタートキー３８がオン操作されて調理が開始されると、このスタートキーのオン操作後所定時間（例えば２秒）経過するとギヤードモータ１１を反転させ、操作パネル４を垂直状態に戻す様に構成している。これにより、調理中には操作パネル４を垂直状態に戻し、操作パネルへの人体や運搬物の接触による、人体や操作パネル４の損傷を防止するものである。
【００４２】
一方、調理が終了して扉３が開かれると、ドア開閉検出回路７７の出力によりこれを検出してモータ駆動回路７５にてギヤードモータ１１を作動し、操作パネル４を傾斜させることで、次の入力操作が行ない易くなる様に構成している。
【００４３】
そして上記扉３を開いて被調理物が取り出され、扉３が閉じられると、これをドア開閉検出回路７７の出力にて検出し、上記と同様に所定時間経過後に操作パネル４を垂直状態に戻す。尚、何らかの理由により、上記扉３を開いた状態で操作パネル４を垂直状態に戻したい場合には、操作パネルキー２９の操作により、簡単に戻す事が出来る。
【００４４】
更に上記制御回路６０は、操作パネル４を傾斜させた状態で、所定時間（例えば１分）経過しても操作部２１に配置した各タッチキーからの入力操作が無い場合には、モータ駆動回路７５にてギヤードモータ１１を作動して操作パネル４を垂直状態に戻す様に構成している。
【図面の簡単な説明】
【００４５】
【図１】本発明の実施例を示す正面図である。
【図２】同じく要部の側面縦断面図である。
【図３】同じく操作パネルの正面図である。
【図４】同じく要部の正面図（ａ）と斜視図（ｂ）である。
【図５】同じく制御回路のブロック図である。
【図６】同じく制御回路の動作を示すタイムチャートである。
【図７】本発明の他の実施例を示す要部の側面縦断面図である。
【図８】本発明による制御回路の他の実施例の動作を示すタイムチャートである。
【図９】同じく制御回路の他の実施例の動作を示すタイムチャートである。
【符号の説明】
【００４６】
１    調理器本体
３    扉
４    操作パネル
９    パネルケース
１２  電動機構
２６  タッチキー
２７  スタートキー
５１  導電部材
５２  導電部材
６０  制御回路（制御手段）
【図１】
0004610502.tif 000002
【図２】
0004610502.tif 000003
【図３】
0004610502.tif 000004
【図４】
0004610502.tif 000005
【図５】
0004610502.tif 000006
【図６】
0004610502.tif 000007
【図７】
0004610502.tif 000008
【図８】
0004610502.tif 000009
【図９】
0004610502.tif 000010